(57)【要約】      （修正有）【課題】簡単な構成で、根掛かりしたとしても、ルアー本体を確実に回収でき、且つ、回収したルアー本体を簡単に再利用できるルアーを提供する。【解決手段】先端連結リング１１が、ルアー本体１０の先端１０ａに設けられる。道糸１２は、先端連結リングに締結され、釣り竿から引き出される。体部・後端連結リング１３は、ルアー本体の体部又は後部の一部に設けられ、開閉可能である。付け替え用釣鉤１４は、道糸の引張強度よりも小さい引張強度を有するハリス１４ａで構成されたハリス輪１４ｂに釣鉤１４ｃの挿通孔１４ｄを挿通することで構成され、ハリス輪が、体部・後端連結リングに挿通可能である。【選択図】図１
0003230258.tif 000002
【実用新案登録請求の範囲】
【請求項１】
ルアー本体と、
前記ルアー本体の先端に設けられた先端連結リングと、
前記先端連結リングに締結され、釣り竿から引き出された道糸と、
前記ルアー本体の体部又は後部の一部に設けられ、開閉可能な体部・後端連結リングと、
前記道糸の引張強度よりも小さい引張強度を有するハリスで構成されたハリス輪を釣鉤の挿通孔に挿通することで構成され、当該ハリス輪が、前記体部・後端連結リングに挿通される付け替え用釣鉤と、
を備えるルアー。
【請求項２】
前記糸の間に、前記ルアー本体のサイズよりも小さいサイズの小型ルアー、又は、前記ルアー本体のサイズよりも大きいサイズの大型ルアー若しくはシンカー、
を更に備える
請求項１に記載のルアー。
【考案の詳細な説明】
【技術分野】
【０００１】
本考案は、ルアーに関する。
【背景技術】
【０００２】
従来より、根掛かりしたとしても、ルアー本体を回収可能なルアーに関する技術は存在する。
【０００３】
例えば、実用新案登録第３０３８５８７号公報（特許文献１）には、ルアー本体の内部に前後方向に管を埋め込み、釣鉤を外に残して、釣鉤から延びるハリスを後側から管の中に通してルアー本体の前側に引き出し、ハリスの先を釣竿から延びる道糸に結合し、さらに、ハリスより引っ張り強度が高い力糸をルアー本体に止着し、これをハリスに対し長さに余裕を設けて道糸に止着したルアーが開示されている。これにより、魚がルアーに喰らいついて釣鉤にかったときは、今まで通り、釣糸を巻き取って掛かった魚を釣り上げることが出来る。このとき、力糸は、ハリスより長く形成してあるので、張力は掛からない。一方、釣鉤が岩等に引っ掛かった場合には、道糸を強く引くと、弱く作ってあるハリスが切れて根掛かりしている針がルアーから外れ、ルアー本体は力糸で引き上げることができるとしている。
【０００４】
又、特開２００７−２８２５９４号公報（特許文献２）には、釣り竿から引き出される道糸に結び付けられる力糸と、釣鉤が取り付けられて力糸に結び付けられる鉤素（ハリス）とを挿通するための挿通孔が、ルアー本体を貫通して形成され、釣鉤は、挿通孔の後端開口周縁部に接離可能に当接され、力糸が挿通孔から抜け出ることを防止するための抜け止め手段が設けられてなるルアーが開示されている。これにより、道糸、力糸、鉤素が一直線状に繋がるので、釣りをする際、余分な抵抗を受けることなく、力糸を介してルアー本体を直接動かせることができる。一方、釣鉤が挿通孔の後端開口周縁部に当接することで、力糸の道糸方向への移動が規制されるので、根掛かりした際、引っ張り強度の小さい鉤素が切断されて、抜け止めされている力糸によって、ルアー本体を回収できるとしている。
【先行技術文献】
【特許文献】
【０００５】
【特許文献１】実用新案登録第３０３８５８７号公報
【特許文献２】特開２００７−２８２５９４号公報
【考案の概要】
【考案が解決しようとする課題】
【０００６】
しかしながら、上述した特許文献１に記載の技術では、ルアー本体の内部に管を埋め込む必要があるという課題がある。又、上述した特許文献２に記載の技術では、ルアー本体を貫通する貫通孔が必要であるという課題がある。更に、特許文献１−２に記載の技術では、ルアー本体を回収しても、当初のルアーに構成するのに手間が掛かり、再利用するのが困難という課題がある。
【０００７】
そこで、本考案は、課題を解決するためになされたものであり、簡単な構成であるにもかかわらず、根掛かりしたとしても、ルアー本体を確実に回収することが可能で、且つ、回収したルアー本体を簡単に再利用することが可能なルアーを提供することを目的とする。
【課題を解決するための手段】
【０００８】
本考案に係るルアーは、ルアー本体と、先端連結リングと、道糸と、体部・後端連結リングと、付け替え用釣鉤と、を備える。先端連結リングは、前記ルアー本体の先端に設けられる。道糸は、前記先端連結リングに締結され、釣り竿から引き出されている。体部・後端連結リングは、前記ルアー本体の体部又は後部の一部に設けられ、開閉可能である。付け替え用釣鉤は、前記道糸の引張強度よりも小さい引張強度を有するハリスで構成されたハリス輪を釣鉤の挿通孔に挿通することで構成され、当該ハリス輪が、前記体部・後端連結リングに挿通可能される。
【０００９】
又、本考案に係るルアーは、前記道糸の間に、前記ルアー本体のサイズよりも小さいサイズの小型ルアー、又は、前記ルアー本体のサイズよりも大きいサイズの大型ルアーを更に備える。
【考案の効果】
【００１０】
本考案によれば、簡単な構成であるにもかかわらず、根掛かりしたとしても、ルアー本体を確実に回収することが可能で、且つ、回収したルアー本体を簡単に再利用することが可能となる。
【図面の簡単な説明】
【００１１】
【図１】本考案の実施形態に係るルアーの概念図である。
【図２】本考案の実施形態に係るルアーで魚を釣った場合の概念図（図２Ａ）と、本考案の実施形態に係るルアーで根掛かりが生じた場合の概念図（図２Ｂ）と、である。
【図３】本考案の実施形態に係るルアーに小型ルアーを連結した場合の概念図（図３Ａ）と、本考案の実施形態に係るルアーに大型ルアーを連結した場合の概念図（図３Ｂ）と、である。
【考案を実施するための形態】
【００１２】
以下に、添付図面を参照して、本考案の実施形態について説明し、本考案の理解に供する。尚、以下の実施形態は、本考案を具体化した一例であって、本考案の技術的範囲を限定する性格のものではない。
【００１３】
本考案に係るルアー１は、図１に示すように、ルアー本体１０と、先端連結リング１１と、道糸１２と、体部・後端連結リング１３と、付け替え用釣鉤１４と、を備える。
【００１４】
先端連結リング１１は、ルアー本体１０の先端１０ａに設けられる。道糸１２は、先端連結リング１１に締結され、釣り竿から引き出されている。体部・後端連結リング１３は、ルアー本体１０の体部又は後部の一部（ここでは、ルアー本体１０の後端１０ｂ）に設けられ、開閉可能である。
【００１５】
又、付け替え用釣鉤１４は、道糸１２の引張強度よりも小さい引張強度を有するハリス１４ａで構成されたハリス輪１４ｂを釣鉤１４ｃの挿通孔１４ｄに挿通することで構成され、当該ハリス輪１４ｂが、体部・後端連結リング１３に挿通される。
【００１６】
これにより、簡単な構成であるにもかかわらず、根掛かりしたとしても、ルアー本体１０を確実に回収することが可能で、且つ、回収したルアー本体１０を簡単に再利用することが可能となる。即ち、本考案では、体部・後端連結リング１３と付け替え用釣鉤１４とをメインに工夫をしているため、ルアー本体１０は、市販品で代替することが可能であり、極めて簡単な構成である。
【００１７】
次に、ユーザーが釣り竿の道糸１２に本考案に係るルアー１を吊り下げて、魚釣りを行うと、図２Ａに示すように、魚Ｆがルアー本体１０に喰らいついて付け替え用釣鉤１４の釣鉤１４ｃに引っ掛かった場合は、ユーザーは、釣り竿の道糸１２を巻き取って、引っ掛かった魚Ｆを吊り上げる。ここで、魚Ｆの力は、通常、付け替え用釣鉤１４のハリス輪１４ｂのハリス１４ａよりも小さいため、ユーザーは、特に問題無く、魚Ｆを吊り上げることが出来る。
【００１８】
一方、図２Ｂに示すように、付け替え用釣鉤１４の釣鉤１４ｃが岩Ｒ等に引っ掛かり、根掛かりが生じた場合は、ユーザーは、釣り竿の道糸１２を力強く引っ張ると、道糸１２の引張強度よりも小さい引張強度のハリス１４ａは、ユーザーの力に耐えることが出来ず、千切れて、ハリス輪１４ｂが開放される。すると、根掛かりしている釣鉤１４ｃは、岩Ｒ等に残るものの、ルアー本体１０の体部・後端連結リング１３から外れて、ユーザーは、ルアー本体１０のみを容易に吊り上げることが可能となる。そのため、ユーザーは、根掛かりが生じたとしても、ルアー１を確実に回収することが出来、大変経済的である。
【００１９】
ここで、付け替え用釣鉤１４は、予め作成しておくことが可能である。例えば、ユーザーは、新たな釣鉤１４ｃの挿通孔１４ｄにハリス１４ａを挿通して、ハリス１４ａでハリス輪１４ｂを作れば、再度、ハリス輪１４ｂに挿通された釣鉤１４ｃの付け替え用釣鉤１４を作成することが出来る。そして、本考案に係るルアー１では、体部・後端連結リング１３は、開閉可能であるため、ユーザーは、体部・後端連結リング１３を開放して、作成した付け替え用釣鉤１４を体部・後端連結リング１３に引っ掛けて、体部・後端連結リング１３を閉塞すれば、再度、魚釣りを行うことが出来るようになる。つまり、付け替え用釣鉤１４を付け替え可能に構成していることで、回収したルアー本体１０を直ぐに再利用することが可能であり、ユーザーは、繰り返し魚釣りを行うことが出来るのである。
【００２０】
ルアーは、一般的に高価であり、且つ、ルアーに設けられる釣鉤は全て極めて強固にルアーに締結されている。そのため、ルアーの釣鉤が岩等に引っ掛かり、根掛かりが生じた場合に、ルアーも岩等に引っ掛かった状態で、糸が千切れて、ルアーが岩等に残り、ユーザーは、根掛かりにより高価なルアーを失うことが多発していた。本考案では、ルアーと釣鉤との間の構成に着目し、釣鉤だけが外れるという発想を具現化することで、根掛かりが生じたとしても、ルアー１を確実に回収することが出来る。
【００２１】
ここで、本考案は、図３Ａに示すように、道糸１２の間に、ルアー本体１０のサイズよりも小さいサイズの小型ルアー１５を更に備えても良い。ここで、小型ルアー１５を設ける場合は、小型ルアー１５の先端連結リング１５ａに道糸１２を締結し、且つ、小型ルアー１５の体部・後端連結リング１５ｂに、本考案に係るルアー１の先端連結リング１１に接続された道糸１２を締結することになる。
【００２２】
小型ルアー１５を設けることで、小型ルアー１５が小刻みに動き、その動きをルアー１に伝え、ルアー１に効果的な動きを付加することが可能となる。又、ルアー１を重りとして働かせることも可能である。ここで、小型ルアー１５には、釣鉤１５ｃを設けても、設けなくても構わない。
【００２３】
一方、本考案は、図３Ｂに示すように、道糸１２の間に、ルアー本体１０のサイズよりも大きいサイズの大型ルアー１６を更に備えても良い。ここで、大型ルアー１６を設ける場合は、上述と同様に、大型ルアー１６の先端連結リング１６ａに道糸１２を締結し、且つ、大型ルアー１６の体部・後端連結リング１６ｂに、本考案に係るルアー１の先端連結リング１１に接続された道糸１２を締結する。
【００２４】
大型ルアー１６を設けることで、大型ルアー１７がゆっくりと動き、その動きをルアー１に伝え、ルアー１に効果的な動きを付加することが可能となる。ここで、大型ルアー１６には、釣鉤１６ｃを設けても、設けなくても構わない。
【００２５】
ここで、ルアーの大きさは、一般的に、対象魚によって異なり、且つ、ルアーの大きさに適合した釣り竿（ロッド）を用いる必要がある。例えば、バス釣りなどでは、通常、１０ｇ程度のルアーと、このルアーに適合するミディアムロッドを用い、小型魚を釣る場合は、小型魚用の３ｇ以下のルアーと、このルアーに適合するウルトラライトロッドを用いる。本考案では、小型ルアーに対応するルアー１と、道糸１２との間に、大型ルアー１６を介在させるとともに、大型ルアー１６に適合するミディアムロッドを使用することで、ミディアムロッドで、大型魚だけでなく小型魚を対象魚として釣ることが可能となるため、極めて経済的である。又、釣り場では、様々な大きさの魚を対象とするために、何種類ものロッドを持ち歩く必要があるが、本考案では、小型ルアーと大型ルアーとを組み合わせることで、大型ルアーに適合するロッドのみを持ち歩けば良くなり、利便性に優れる。
【００２６】
又、大型ルアーをフラットフィッシュ型スプーン等の動きの緩やかな大型ルアーにすることで、その先端に連結する小型ルアーに大小二つの動きを与えることが可能となり、極めてアトラクティブな小型ルアーにすることが出来る。
【００２７】
又、図３Ｂに示すように、大型ルアー１６の代わりにシンカー１７（錘）を用いても構わない。この場合、例えば、シンカー１７の先端連結リング１７ａに道糸１２を締結し、且つ、シンカー１７の先端連結リング１７ａに、本考案に係るルアー１の先端連結リング１１に接続された道糸１２を締結する。これにより、川の流れが速い釣場や深場では、シンカーに接続されたルアー１を適当な深度に保ちながら、魚のような動きをルアー１に演出させることが出来る。
【００２８】
ここで、ルアー本体１０の材質に特に限定は無いが、例えば、金属やプラスチックを挙げることが出来る。又、ルアー本体１０の構成に特に限定は無いが、例えば、細長い楕円状の構成や魚（例えば、小魚）を模した構成を挙げることが出来る。ルアー本体１０の色彩に特に限定は無いが、例えば、魚の腹部に対応する虹色や光沢色を挙げることが出来る。
【００２９】
又、先端連結リング１１の構成に特に限定は無いが、例えば、開閉可能な円環でも開閉不可な円環でも構わない。又、道糸１２の構成に特に限定は無いが、力糸であっても構わない。本考案では、ハリス１４ａの引張強度よりも大きい引張強度を有する糸であれば、どのような種類の糸であっても構わない。
【００３０】
又、体部・後端連結リング１３の構成に特に限定は無いが、例えば、図１に示すように、開閉可能な円環を挙げることが出来る。円環の構成に特に限定は無く、円環を重ねて開閉可能にした構成や円環の一端を開閉可能にした構成を挙げることが出来る。又、体部・後端連結リング１３の他の構成として、例えば、大量生産の観点から、スナップリング又はスナップスイベルリングを挙げることが出来る。
【００３１】
又、体部・後端連結リング１３の位置に特に限定は無いが、例えば、ルアー本体１０の後端１０ｂでも良いし、ルアー本体１０の中央下端１０ｃでも良いし、任意に設定することが出来る。又、体部・後端連結リング１３の数に特に限定は無いが、例えば、１つでも良いし、２つ以上設けても構わない。
【００３２】
又、ハリス輪１４ｂの構成に特に限定は無いが、例えば、ハリス１４ａを小円にして両端を締結した構成を挙げることが出来る。又、図１に示すように、ハリス１４ａの一端を釣鉤１４ｃの挿通孔１４ｄに挿通して小円を作り、釣鉤１４ｃに直接締結するとともに、ハリス１４ａの他端を体部・後端連結リング１３に挿通して小円を作り、体部・後端連結リング１３に直接締結しても構わない。又、釣鉤１４ｃの構成に特に限定は無いが、例えば、シングルフックでもトリプルフックでも構わない。
【００３３】
尚、本考案の実施形態では、ルアー１の構成に、更に、他の機能を追加しても構わない。
【００３４】
さて、現実に、図３Ｂに示す本考案に係るルアー１として、例えば、１０ｇのスプーンの大型ルアー１６に、２ｇのスプーンのルアー本体１０を接続し、このルアー１に付け替え用釣鉤１４を接続して、本考案に係るルアー１を作成した。ここで、道糸１２には、１２ポンドのナイロンラインを用い、ルアー本体１０の体部・後端連結リング１３と釣鉤１４ｃの挿通孔１４ｄとの間にハリス輪１４ｂのハリス１４ａには、３ポンドのフルオロカーボンラインを用いた。１２ポンドのナイロンラインの引張強度は５．４ｋｇであり、その標準直径は０．２９ｍｍであり、３ポンドのフルオロカーボンラインの引張強度は１．４ｋｇであり、その標準直径は０．１５ｍｍである。このような実施例のルアー１で魚釣りを行ったところ、根掛かりが生じた場合は、ハリス輪１４ｂが千切れて、ルアー本体１０を回収することが出来た。又、予め作成していた付け替え用釣鉤１４により、その場で直ぐにルアー本体１０を再利用することが出来た。そして、根掛かりが生じない場合は、ヤマメとウグイを釣ることが出来た。
【産業上の利用可能性】
【００３５】
以上のように、本考案は、経済性に優れ、且つ、根掛かりが生じても、ルアー本体を回収出来るルアーとして有用であり、簡単な構成であるにもかかわらず、根掛かりしたとしても、ルアー本体を確実に回収することが可能で、且つ、回収したルアー本体を簡単に再利用することが可能なルアーとして有効である。
【符号の説明】
【００３６】
１    ルアー
１０  ルアー本体
１１  先端連結リング
１２  道糸
１３  体部・後端連結リング
１４  付け替え用釣鉤
【図１】
0003230258.tif 000003
【図２】
0003230258.tif 000004
【図３】
0003230258.tif 000005
【手続補正書】
【提出日】令和2年11月2日(2020.11.2)
【手続補正１】
【補正対象書類名】実用新案登録請求の範囲
【補正対象項目名】全文
【補正方法】変更
【補正の内容】
【実用新案登録請求の範囲】
【請求項１】
ルアー本体と、
前記ルアー本体の先端に設けられた先端連結リングと、
前記先端連結リングに締結され、釣り竿から引き出された道糸と、
前記ルアー本体の体部又は後部の一部に設けられ、開閉可能な体部・後端連結リングと、
前記道糸の引張強度よりも小さい引張強度を有するハリスで構成されたハリス輪を釣鉤の挿通孔に挿通することで構成され、当該ハリス輪が、前記体部・後端連結リングに挿通される付け替え用釣鉤と、
を備えるルアー。
【請求項２】
前記道糸の間に、前記ルアー本体のサイズよりも小さいサイズの小型ルアー、又は、前記ルアー本体のサイズよりも大きいサイズの大型ルアー若しくはシンカー、
を更に備える
請求項１に記載のルアー。